(57)【要約】【課題】導電部を利用した新たな構成のアンテナを有する携帯電子機器を提供すること。【解決手段】第１導電部１６を有する操作部側筐体２と、第２導電部２３を有する表示部側筐体３と、第３導電部４１を有すると共に、閉状態と、第１開状態と、第２開状態とを取りうるように操作部側筐体２と表示部側筐体３とを連結する連結部４と、給電部１７とを備える。第１開状態において、第１導電部１６と第２導電部２３とは、第３導電部４１を介して電気的に接続され、第１導電部１６と第２導電部２３と第３導電部４１とにより少なくとも三方を囲われて形成される対向領域は、給電部１７により給電されて磁流アンテナとして動作する。【選択図】図５
2012156859.tif 000002
【特許請求の範囲】
【請求項１】
第１導電部を有する第１筐体と、
第２導電部を有する第２筐体と、
第３導電部を有すると共に、前記第１筐体の主面と前記第２筐体の主面を対向させて積層配置させた閉状態と、前記閉状態から第１方向へ回転させる第１回転軸を中心として、前記第１筐体を前記第２筐体に対して所定角度回転させて、前記第１筐体の主面と前記第２筐体の主面を同一方向から視認可能に露出させた第１開状態と、前記第１開状態から前記第１方向と直交する第２方向へ回転させる第２回転軸を中心として、前記第１筐体の主面と前記第２筐体の主面とが前記同一方向から視認可能なまま前記第２筐体を平面方向に所定角度回転させた第２開状態と、を取りうるように前記第１筐体と前記第２筐体とを連結する連結部と、
給電部とを備え、
前記第１開状態において、
前記第１導電部と前記第２導電部とは、前記第３導電部を介して電気的に接続され、
前記第１導電部と前記第２導電部と前記第３導電部とにより少なくとも三方を囲われて形成される対向領域は、前記給電部により給電されて磁流アンテナとして動作する携帯電子機器。
【請求項２】
前記第２開状態において、
前記第１導電部と前記第２導電部とは、前記第３導電部を介して電気的に接続され、
前記第１導電部と前記第２導電部と前記第３導電部とにより少なくとも三方を囲われて形成される対向領域は、前記給電部により給電されて磁流アンテナとして動作する請求項１記載の携帯電子機器。
【請求項３】
前記第２導電部は、前記第１開状態において前記連結部と対向する端部に所定形状の第１スリットが形成されると共に、前記第２開状態において前記連結部と対向する端部に所定形状の第２スリットが形成され、
前記第３導電部は、長手方向に所定形状の第３スリットが形成され、短手方向に所定形状の第４スリットが形成され、
前記第３スリットの一方端部と前記第４スリットの一方端部は、結合して一体的に形成され、
前記第２スリット、前記第３スリット及び前記第４スリットは、前記第１開状態において、前記第２スリットの端部と、前記第４スリットの他方端部が結合することにより一体的なスリットを形成し、前記給電部により給電されて磁流アンテナとして動作し、
前記第１スリット、前記第３スリット及び前記第４スリットは、前記第２開状態において、前記第１スリットの端部と、前記第３スリットの他方端部が結合することにより一体的なスリットを形成し、前記給電部により給電されて磁流アンテナとして動作する請求項１記載の携帯電子機器。
【請求項４】
前記第１導電部は、前記連結部と対向する端部に所定形状の第５スリットが形成され、
前記第１スリットと前記第５スリットとは、前記第１開状態において、端部同士が結合することにより一体的なスリットを形成し、前記給電部により給電されて磁流アンテナとして動作し、
前記第２スリットと前記第５スリットとは、前記第２開状態において、端部同士が結合することにより一体的なスリットを形成し、前記給電部により給電されて磁流アンテナとして動作する請求項３記載の携帯電子機器。
【請求項５】
前記第１スリットと前記第２スリットとは、同程度の大きさで構成される請求項３又は４に記載の携帯電子機器。
【請求項６】
前記第１導電部は、前記連結部と対向する端部に所定形状の第６スリットが形成され、
前記第２導電部は、前記第１開状態において前記連結部と対向する端部に所定形状の第７スリットが形成され、前記第２開状態において前記連結部と対向する端部に所定形状の第８スリットが形成され、かつ、前記第８スリットの延長線上に所定形状の第９スリットが形成され、
前記第３導電部は、長手方向に所定形状の第１０スリットが形成され、
前記第６スリット、前記第７スリット及び前記第１０スリットは、前記第１開状態において、端部同士が結合することにより一体的なスリットを形成し、前記給電部により給電されて磁流アンテナとして動作し、
前記第６スリット、前記第８スリット、前記第９スリット及び前記第１０スリットは、前記第２開状態において、端部同士が結合することにより一体的なスリットを形成し、前記給電部により給電されて磁流アンテナとして動作する請求項１記載の携帯電子機器。
【請求項７】
第１導電部を有する第１筐体と、
第２導電部を有する第２筐体と、
第３導電部を有すると共に、前記第１筐体の主面と前記第２筐体の主面を対向させて積層配置させた閉状態と、前記閉状態から第１方向へ回転させる第１回転軸を中心として、前記第１筐体を前記第２筐体に対して所定角度回転させて、前記第１筐体の主面と前記第２筐体の主面を同一方向から視認可能に露出させた第１開状態と、前記第１開状態から前記第１方向と直交する第２方向へ回転させる第２回転軸を中心として、前記第１筐体の主面と前記第２筐体の主面とが前記同一方向から視認可能なまま前記第２筐体を平面方向に所定角度回転させた第２開状態と、を取りうるように前記第１筐体と前記第２筐体とを連結する連結部と、
給電部とを備え、
前記第１導電部は、前記連結部と対向する端部に所定形状の第６スリットが形成され、
前記第２導電部は、前記第１開状態において前記連結部と対向する端部に所定形状の第７スリットが形成され、前記第２開状態において前記連結部と対向する端部に所定形状の第８スリットが形成され、かつ、前記第８スリットの延長線上に所定形状の第９スリットが形成され、
前記第３導電部は、長手方向に所定形状の第１０スリットが形成され、
前記第６スリット、前記第７スリット及び前記第１０スリットは、前記第１開状態において、端部同士が結合することにより一体的なスリットを形成し、前記給電部により給電されて磁流アンテナとして動作し、
前記第６スリット、前記第８スリット、前記第９スリット及び前記第１０スリットは、前記第２開状態において、端部同士が結合することにより一体的なスリットを形成し、前記給電部により給電されて磁流アンテナとして動作する携帯電子機器。
【発明の詳細な説明】
【技術分野】
【０００１】
本発明は、アンテナを有し外部機器と通信を行う携帯電子機器に関する。
【背景技術】
【０００２】
携帯電子機器は、小型化・薄型化が進んでおり、また、様々な構成のアンテナが内蔵されている。
例えば、特許文献１では、第１筐体内に配置された第１導電部に切欠部を形成し、当該切欠部に給電することにより、切欠部がスロットアンテナとして動作する技術が提案されている。
【先行技術文献】
【特許文献】
【０００３】
【特許文献１】特開２００８−１６７４２０号公報
【発明の概要】
【発明が解決しようとする課題】
【０００４】
ところで、このような携帯電子機器では、導電部を利用したさらなるアンテナ技術が求められている。
【０００５】
本発明は、小型化・薄型化の要請に応えつつ、導電部を利用した新たな構成のアンテナを有する携帯電子機器を提供することを一つの目的とする。
【課題を解決するための手段】
【０００６】
本発明に係る携帯電子機器は、上記課題を解決するために、第１導電部を有する第１筐体と、第２導電部を有する第２筐体と、第３導電部を有すると共に、前記第１筐体の主面と前記第２筐体の主面を対向させて積層配置させた閉状態と、前記閉状態から第１方向へ回転させる第１回転軸を中心として、前記第１筐体を前記第２筐体に対して所定角度回転させて、前記第１筐体の主面と前記第２筐体の主面を同一方向から視認可能に露出させた第１開状態と、前記第１開状態から前記第１方向と直交する第２方向へ回転させる第２回転軸を中心として、前記第１筐体の主面と前記第２筐体の主面とが前記同一方向から視認可能なまま前記第２筐体を平面方向に所定角度回転させた第２開状態と、を取りうるように前記第１筐体と前記第２筐体とを連結する連結部と、給電部とを備え、前記第１開状態において、前記第１導電部と前記第２導電部とは、前記第３導電部を介して電気的に接続され、前記第１導電部と前記第２導電部と前記第３導電部とにより少なくとも三方を囲われて形成される対向領域は、前記給電部により給電されて磁流アンテナとして動作する。
【０００７】
また、携帯電子機器では、前記第２開状態において、前記第１導電部と前記第２導電部とは、前記第３導電部を介して電気的に接続され、前記第１導電部と前記第２導電部と前記第３導電部とにより少なくとも三方を囲われて形成される対向領域は、前記給電部により給電されて磁流アンテナとして動作する構成でも良い。
【０００８】
また、携帯電子機器では、前記第２導電部は、前記第１開状態において前記連結部と対向する端部に所定形状の第１スリットが形成されると共に、前記第２開状態において前記連結部と対向する端部に所定形状の第２スリットが形成され、前記第３導電部は、長手方向に所定形状の第３スリットが形成され、短手方向に所定形状の第４スリットが形成され、前記第３スリットの一方端部と前記第４スリットの一方端部は、結合して一体的に形成され、前記第２スリット、前記第３スリット及び前記第４スリットは、前記第１開状態において、前記第２スリットの端部と、前記第４スリットの他方端部が結合することにより一体的なスリットを形成し、前記給電部により給電されて磁流アンテナとして動作し、前記第１スリット、前記第３スリット及び前記第４スリットは、前記第２開状態において、前記第１スリットの端部と、前記第３スリットの他方端部が結合することにより一体的なスリットを形成し、前記給電部により給電されて磁流アンテナとして動作する構成でも良い。
【０００９】
また、携帯電子機器では、前記第１導電部は、前記連結部と対向する端部に所定形状の第５スリットが形成され、前記第１スリットと前記第５スリットとは、前記第１開状態において、端部同士が結合することにより一体的なスリットを形成し、前記給電部により給電されて磁流アンテナとして動作し、前記第２スリットと前記第５スリットとは、前記第２開状態において、端部同士が結合することにより一体的なスリットを形成し、前記給電部により給電されて磁流アンテナとして動作する構成である。
【００１０】
また、携帯電子機器では、前記第１スリットと前記第２スリットとは、同程度の大きさで構成される構成でも良い。
【００１１】
また、携帯電子機器では、前記第１導電部は、前記連結部と対向する端部に所定形状の第６スリットが形成され、前記第２導電部は、前記第１開状態において前記連結部と対向する端部に所定形状の第７スリットが形成され、前記第２開状態において前記連結部と対向する端部に所定形状の第８スリットが形成され、かつ、前記第８スリットの延長線上に所定形状の第９スリットが形成され、前記第３導電部は、長手方向に所定形状の第１０スリットが形成され、前記第６スリット、前記第７スリット及び前記第１０スリットは、前記第１開状態において、端部同士が結合することにより一体的なスリットを形成し、前記給電部により給電されて磁流アンテナとして動作し、前記第６スリット、前記第８スリット、前記第９スリット及び前記第１０スリットは、前記第２開状態において、端部同士が結合することにより一体的なスリットを形成し、前記給電部により給電されて磁流アンテナとして動作する構成も良い。
【００１２】
また、本発明に係る携帯電子機器は、上記課題を解決するために、第１導電部を有する第１筐体と、第２導電部を有する第２筐体と、第３導電部を有すると共に、前記第１筐体の主面と前記第２筐体の主面を対向させて積層配置させた閉状態と、前記閉状態から第１方向へ回転させる第１回転軸を中心として、前記第１筐体を前記第２筐体に対して所定角度回転させて、前記第１筐体の主面と前記第２筐体の主面を同一方向から視認可能に露出させた第１開状態と、前記第１開状態から前記第１方向と直交する第２方向へ回転させる第２回転軸を中心として、前記第１筐体の主面と前記第２筐体の主面とが前記同一方向から視認可能なまま前記第２筐体を平面方向に所定角度回転させた第２開状態と、を取りうるように前記第１筐体と前記第２筐体とを連結する連結部と、給電部とを備え、前記第１導電部は、前記連結部と対向する端部に所定形状の第６スリットが形成され、前記第２導電部は、前記第１開状態において前記連結部と対向する端部に所定形状の第７スリットが形成され、前記第２開状態において前記連結部と対向する端部に所定形状の第８スリットが形成され、かつ、前記第８スリットの延長線上に所定形状の第９スリットが形成され、前記第３導電部は、長手方向に所定形状の第１０スリットが形成され、前記第６スリット、前記第７スリット及び前記第１０スリットは、前記第１開状態において、端部同士が結合することにより一体的なスリットを形成し、前記給電部により給電されて磁流アンテナとして動作し、前記第６スリット、前記第８スリット、前記第９スリット及び前記第１０スリットは、前記第２開状態において、端部同士が結合することにより一体的なスリットを形成し、前記給電部により給電されて磁流アンテナとして動作する。
【発明の効果】
【００１３】
本発明によれば、導電部を利用した新たな構成のアンテナを有する携帯電子機器を提供することができる。
【図面の簡単な説明】
【００１４】
【図１】携帯電話装置が第１開状態のときの外観図を示す。
【図２】携帯電話装置が第１開状態のときの側面から見たときの断面図である。
【図３】携帯電話装置が閉状態のときの外観図である。
【図４】携帯電話装置が第２開状態（交差状態）のときの外観図である。
【図５】携帯電話装置が第１開状態及び第２開状態に遷移したときに動作する磁流アンテナについての説明に供する図である。
【図６】異なる基板に配置されている導電部同士を接続する方法についての説明に供する図である。
【図７】携帯電話装置が第１開状態及び第２開状態に遷移したときに動作する磁流アンテナについての説明に供する図である。
【発明を実施するための形態】
【００１５】
以下、本発明の実施の形態について説明する。図１は、本発明に係る携帯電子機器の一例である携帯電話装置１の外観図を示す。また、本実施の形態では、携帯電話装置１について説明するが、本発明は携帯電話装置に限定されるものではなく、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１６】
携帯電話装置１は、図１に示すように、第１筐体としての操作部側筐体２と、第２筐体としての表示部側筐体３を備える。
【００１７】
操作部側筐体２は、その外面がフロントケースとリアケースとにより構成される。操作部側筐体２は、フロントケース側に、操作キー群１１と、使用者が通話時に発した音声が入力される音声入力部としてのマイク１２がそれぞれ露出するように構成される。
【００１８】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モード、又は起動されているアプリケーション等の種類に応じて所定の機能が割り当てられる。そして、使用者が各キーを押圧することにより、各キーに割り当てられている機能に応じた動作が実行される。
【００１９】
表示部側筐体３は、その外面がフロントケースとリアケースとにより構成される。表示部側筐体３におけるフロントケースには、各種情報を表示するための表示部２１と、通話の相手側の音声を出力するレシーバとしての音声出力部２２がそれぞれ露出して配置される。
【００２０】
操作部側筐体２と表示部側筐体３とは、連結部４を介して開閉可能に連結される。具体的には、連結部４は、ヒンジ機構４ａと、支持部４ｂと、回転機構４ｃを備える。
【００２１】
図２に示すように、操作部側筐体２における連結部４側の端部と支持部４ｂとは、ヒンジ機構４ａを介して連結される。表示部側筐体３とヒンジ機構４ａとは、支持部４ｂを介して接続される。支持部４ｂと表示部側筐体３とは、回転機構４ｃを介して接続される。これにより、携帯電話装置１は、操作部側筐体２と表示部側筐体３とヒンジ機構４ａ、支持部４ｂ及び回転機構４ｃを介して連結し、操作部側筐体２と表示部側筐体３とを相対的に動かし、また、表示部側筐体３と支持部４ｂとを相対的に動かすことが可能に構成される。
【００２２】
携帯電話装置１は、連結部４により、操作部側筐体２の主面（平面）と表示部側筐体３の主面を対向させて積層配置させた閉状態（図３を参照）と、ヒンジ機構４ａを動作させて、閉状態から第１方向へ回転させる第１回転軸（図１中のＸ）を中心として、操作部側筐体２を表示部側筐体３に対して所定角度回転させて、操作部側筐体２の主面と表示部側筐体３の主面を同一方向から視認可能に露出させた第１開状態（図１を参照）と、回転機構４ｃを動作させて、第１開状態から第１方向と直交する第２方向へ回転させる第２回転軸（図１中のＺ）を中心として、操作部側筐体２の主面と表示部側筐体３の主面とが同一方向から視認可能なまま表示部側筐体３を平面方向に所定角度（例えば、略９０度）回転させた第２開状態（図４を参照）と、を取ることができる。
【００２３】
このように構成される携帯電話装置１は、導電部を利用して複数のアンテナを構成することが可能な構成になっている。このような構成によれば、例えば、複数アンテナによる同一周波数同時空間多重化伝送（ＭＩＭＯ、Ｍｕｌｔｉ  Ｉｎｐｕｔ  Ｍｕｌｔｉ  Ｏｕｔｐｕｔ）に適用することができる。以下に、具体的な構成について説明する。
【００２４】
携帯電話装置１は、図５に示すように、第１導電部１６を有する操作部側筐体２と、第２導電部２３を有する表示部側筐体３と、第３導電部４１を有し、かつ、上述した閉状態と、第１開状態と、第２開状態を取りうるように操作部側筐体２と表示部側筐体３とを連結する連結部４と、給電部１７を備える。
【００２５】
ここで、第１導電部１６及び第２導電部２３は、回路基板に形成される基準電位部（グランドパターン）によって構成されるものとする。例えば、第１導電部１６は、操作キー群１１が操作されたときに操作信号を処理する回路等が実装されているキー基板上に配置される。また、例えば、第２導電部２３は、表示部２１を駆動する回路等が実装されている表示部基板上に配置されている。また、第３導電部４１は、連結部４に形成される基準電位部（グランドパターン）によって構成されるものとする。
【００２６】
また、携帯電話装置１が第１開状態（図５（ａ）を参照）のときには、第１導電部１６と第２導電部２３とは、第３導電部４１を介して電気的に接続される。また、第１導電部１６と第２導電部２３と第３導電部４１とにより少なくとも三方を囲われて形成される対向領域Ａ（図５（ａ）中のＡ）は、給電部１７により給電されて磁流アンテナ（スロットアンテナ）として動作する。
【００２７】
また、携帯電話装置１が第２開状態（図５（ｂ）を参照）のときにも、第１導電部１６と第２導電部２３とは、第３導電部４１を介して電気的に接続される。また、第１導電部１６と第２導電部２３と第３導電部４１とにより少なくとも三方を囲われて形成される対向領域Ａ（図５（ｂ）中のＡ）は、給電部１７により給電されて磁流アンテナ（スロットアンテナ）として動作する。
【００２８】
また、給電部１７は、キー基板上に実装されている高周波信号を処理する処理部（不図示）に接続される。
ここで、磁流アンテナは、スロットの長手方向の長さに応じた周波数の信号を送受信することができる。具体的には、スロットの長手方向の長さは、所望する波長λに対して、ｎλ／２（但し、ｎ＝１、２、３・・・）により決定される。よって、携帯電話装置１は、第１開状態及び第２開状態のいずれにおいても、対向領域Ａを形成している第１導電部１６の長さ（図５（ａ）、（ｂ）中のＬ）が変わらないので、いずれの状態においても同一の周波数の信号によって通信を行うことができる。
【００２９】
このようにして、第１開状態及び第２開状態のいずれの状態においても、第１導電部１６と第２導電部２３と第３導電部４１とにより少なくとも三方を囲われて形成される対向領域Ａが給電部１７により給電され、磁流アンテナとして動作する。
【００３０】
また、第１導電部１６の一方端部には、アンテナ（モノポールアンテナ）ａが接続されている。
【００３１】
ここで、磁流アンテナとアンテナａとは、偏波面が互いに直交している。また、アンテナａは、いわゆる電流アンテナと呼ばれ、磁流アンテナとは放射パターンが異なっている。よって、携帯電話装置１は、閉状態、第１開状態及び第２開状態のいずれの状態においても、高いアイソレーションを図りつつ、低相関となる磁流アンテナとアンテナａを動作させることができる。
【００３２】
また、図５（ａ）、（ｂ）に示すように、二つの対向領域（図５（ａ）、（ｂ）中の「対向領域Ａ」と「対向領域Ｂ」）が形成されるため、それぞれの対向領域に対して給電部により給電することにより、磁流アンテナとして動作させても良い。このような構成の場合には、二つの磁流アンテナを動作させて、通信感度の良い方を優先的に使用する、いわゆるダイバーシティーアンテナとして使用することができる。
【００３３】
また、携帯電話装置１は、第１導電部１６、第２導電部２３及び第３導電部４１にそれぞれスリット（導電部に対して所定形状の刻み又は切り込みを入れたものであって、周囲が基準電位部に囲まれており、スロットと同義である。）を設け、そこに給電部によって給電することにより、磁流アンテナとして機能させる構成であっても良い。以下に、具体的な構成について説明する。
【００３４】
第２導電部２３は、図５（ａ）、（ｂ）に示すように、第１開状態において連結部４と対向する端部に所定形状の第１スリット２４が形成されると共に、第２開状態において連結部４と対向する端部に所定形状の第２スリット２５が形成される。また、第１スリット２４を第２導電部２３の長手方向に延長したと仮定した場合の仮想線と、第２スリット２５を第２導電部２３の短手方向に延長したと仮定した場合の仮想線とは、前述の所定の角度（例えば、略９０度）で交わる。
【００３５】
また、第３導電部４１は、長手方向に所定形状の第３スリット４２が形成され、短手方向に所定形状の第４スリット４３が形成される。なお、第３スリット４２の一方端部と第４スリット４３の一方端部は、結合して一体的に形成される。また、第３スリット４２と第４スリット４３とは、前述の所定の角度（例えば、略９０度）で交わる。
【００３６】
また、携帯電話装置１が第１開状態に遷移した場合、第２スリット２５、第３スリット４２及び第４スリット４３は、第２スリット２５の端部と、第４スリット４３の他方端部が結合することにより一体的なスリットＳＬ１を形成し、給電部２６により給電されて磁流アンテナとして動作する（図５（ａ）を参照）。また、第１スリット２４に給電部２７により給電することにより、第１スリット２４を磁流アンテナとして動作させることができる。
【００３７】
また、携帯電話装置１が第２開状態に遷移した場合、第１スリット２４、第３スリット４２及び第４スリット４３は、第１スリット２４の端部と、第３スリット４２の他方端部が結合することにより一体的なスリットＳＬ２を形成し、給電部２６により給電されて磁流アンテナとして動作する（図５（ｂ）を参照）。また、第２スリット２５に給電部２７により給電することにより、第２スリット２５を磁流アンテナとして動作させることができる。
【００３８】
また、携帯電話装置１は、第１スリット２４と第２スリット２５とを同程度の長さで形成することにより、第１開状態において形成されるスリットＳＬ１と、第２開状態において形成されるスリットＳＬ２とは、（形状は異なるが）同じ長さにすることができ、いずれの状態においても同一の周波数の信号によって通信を行うことができる。また、このような構成の場合には、第１開状態において磁流アンテナとして動作する第１スリット２４により使用される周波数と、第２開状態において磁流アンテナとして動作する第２スリット２５により使用される周波数も、同一の周波数となる。
【００３９】
また、第１導電部１６は、連結部４と対向する端部に所定形状の第５スリット１８が形成されていても良い。このような構成の場合には、携帯電話装置１が第１開状態に遷移した場合、第１スリット２４と第５スリット１８とは、端部同士が結合することにより一体的なスリットＳＬ３を形成し、給電部１９により給電されて磁流アンテナとして動作する（図５（ａ）を参照）。
【００４０】
また、携帯電話装置１が第２開状態に遷移した場合、第２スリット２５と第５スリット１８とは、端部同士が結合することにより一体的なスリットＳＬ４を形成し、給電部１９により給電されて磁流アンテナとして動作する（図５（ａ）を参照）。なお、第１開状態において形成されるスリットＳＬ３及び第２開状態において形成されるスリットＳＬ４に対して、給電部１９ではなく前述の給電部２７により給電されても良い。
【００４１】
ここで、携帯電話装置１は、第１開状態において形成される一体的なスリットＳＬ１とスリットＳＬ３とは、スリットの長さが異なるため、複数周波数に対応することができる。また、携帯電話装置１は、第２開状態において形成される一体的なスリットＳＬ２とスリットＳＬ４とは、スリットの長さが異なるため、複数周波数に対応することができる。
【００４２】
つぎに、各スリットの長さの関係について説明する。
第５スリット１８の長さを、所望する周波数の波長λの半分の長さにし（λ／２）、第５スリット１８と第１スリット２４を結合したときの一体的なスリットＳＬ３の長さを、（λ／２）×ｎ（但し、ｎ＝１、２、３・・・）にし、第５スリット１８と第２スリット２５を結合したときの一体的なスリットＳＬ４の長さは、（λ／２）×ｎ（但し、ｎ＝１、２、３・・・）にし、第１スリット２４と第２スリット２５を、同じ長さにする。但し、スリットの長さは、スリットの幅よりも大きいとする。
【００４３】
このように構成することにより、携帯電話装置１は、第１開状態及び第２開状態のいずれの状態においても、一体的に結合されたスリットＳＬ３とスリットＳＬ４が同じ長さになり、同一周波数で通信を行うことができる。
【００４４】
また、第２スリット２５と第３スリット４２と第４スリット４３を結合したときの一体的なスリットＳＬ１の長さを、（λ／２）×ｎ（但し、ｎ＝１、２、３・・・）にし、第１スリット２４と第３スリット４２と第４スリット４３を結合したときの一体的なスリットＳＬ２の長さを、（λ／２）×ｎ（但し、ｎ＝１、２、３・・・）にする。
【００４５】
このように構成することにより、携帯電話装置１は、第１開状態及び第２開状態のいずれの状態においても、一体的に結合されたスリットＳＬ１とスリットＳＬ２が同じ長さになり、同一周波数で通信を行うことができる。なお、第５スリット１８は、第１導電部１６の長手方向に形成され、第１スリット２４は、第２導電部２３の長手方向に形成されているため、携帯電話装置１を閉状態にした場合に両者が操作部側筐体２と表示部側筐体３の積層方向で重なり合う。よって、閉状態で第１スリット２４又は第５スリット１８を磁流アンテナとして動作させたとしても、他方により電磁波の放射は遮られない。
【００４６】
また、異なる導電部に形成されているスリットの接続について説明する。
例えば、連結部４を金属製のヒンジを用いることにより、第１開状態及び第２開状態において、第１導電部１６上のスリット（第５スリット１８）と第２導電部２３上のスリット（第１スリット２４及び第２スリット２５）を電気的に接続する方法が考えられる。
【００４７】
また、第２導電部２３と第３導電部４１との接続は、図６に示すように、それぞれが配置されている基板のＧＮＤ（基準電位部）を導電物Ｃや、インサート板金の一部を利用して接続する方法でも良い。
【００４８】
また、携帯電話装置１では、図７に示すように、第１導電部１６は、連結部４と対向する端部に所定形状の第６スリット２０が形成されている構成でも良い。また、第２導電部２３は、第１開状態において連結部４と対向する端部に所定形状の第７スリット２８が形成され、第２開状態において連結部４と対向する端部に所定形状の第８スリット２９が形成され、かつ、第８スリット２９の延長線上に所定形状の第９スリット３０が形成されている。第３導電部４１は、長手方向に所定形状の第１０スリット４４が形成されている。
【００４９】
このような構成において、第６スリット２０、第７スリット２８及び第１０スリット４４は、第１開状態において、端部同士が結合することにより一体的なスリットＳＬ５を形成し、給電部１７により給電されて磁流アンテナとして動作する（図７（ａ）を参照）。
【００５０】
また、第６スリット２０、第８スリット２９、第９スリット３０及び第１０スリット４４は、第２開状態において、端部同士が結合することにより一体的なスリットＳＬ６を形成し、給電部１７により給電されて磁流アンテナとして動作する（図７（ｂ）を参照）。
【００５１】
ここで、第７スリット２８の長さは、第８スリット２９と第９スリット３０を足し合わせた長さに相当するように形成しても良い。このように形成される場合には、第１開状態において一体的に形成されるスリットＳＬ５（第６スリット２０、第７スリット２８及び第１０スリット４４により結合されて形成されるスリット）と、第２開状態において形成されるスリットＳＬ６（第６スリット２０、第８スリット２９、第９スリット３０及び第１０スリット４４により結合されて形成されるスリット）とは、同じ長さにすることができ、いずれの状態においても同一の周波数の信号によって通信を行うことができる。
【００５２】
また、携帯電話装置１は、第１開状態において、第８スリット２９と第９スリット３０に対してそれぞれ給電部（不図示）により給電する構成でも良い。このような構成の場合には、携帯電話装置１は、第１開状態において複数の独立した磁流アンテナを動作させることができる。
【００５３】
また、携帯電話装置１は、第２開状態において、第７スリット２８に対して給電部（不図示）により給電する構成でも良い。このような構成の場合には、第２開状態においても、複数の独立した磁流アンテナを動作させることができる。
【符号の説明】
【００５４】
１  携帯電話装置
２  操作部側筐体
３  表示部側筐体
４  連結部
１６  第１導電部
１７、１９、２６、２７  給電部
１８  第５スリット
２０  第６スリット
２３  第２導電部
２４  第１スリット
２５  第２スリット
２８  第７スリット
２９  第８スリット
３０  第９スリット
４１  第３導電部
４２  第３スリット
４３  第４スリット
４４  第１０スリット
【図１】
2012156859.tif 000003
【図２】
2012156859.tif 000004
【図３】
2012156859.tif 000005
【図４】
2012156859.tif 000006
【図５】
2012156859.tif 000007
【図６】
2012156859.tif 000008
【図７】
2012156859.tif 000009